(57)【要約】【課題】家具としての椅子に共用可能で、且つ、椅子として利用される場合に便座装置の機能が誤って作動することを抑制可能な密封式便座装置を提供する。【解決手段】便座装置１は、排泄物をフィルムＦに密封するフィルムユニット３０と、フィルムユニット３０を支持し、床面に載置可能な支持体４０と、便座装置１本体の前面に配置されフィルムユニット３０を作動させるスイッチ４３と、支持体４０に支持されたフィルムユニット３０の上面を覆い、排泄物が前記フィルムユニット３０へと通過する開口５５ｃを有する便座５５と、便座５５に着脱可能に設けられ、便座５５に装着された状態において、便座５５およびスイッチ４３を覆い、且つ、腰掛けのための座部となるカバー５６と、を備える。【選択図】図７
2015195882.tif 000002
【特許請求の範囲】
【請求項１】
フィルムにより排泄物を密封するフィルム密封式便座装置において、
排泄物をフィルムに密封するフィルムユニットと、
前記フィルムユニットを支持し、床面に載置可能な支持体と、
フィルム密封式便座装置本体の外部に露出する面に配置され前記フィルムユニットを作動させるスイッチと、
前記支持体に支持された前記フィルムユニットの上面を覆い、排泄物が前記フィルムユニットへと通過する開口を有する便座部と、
前記便座部に着脱可能に設けられ、前記便座部に装着された状態において、前記便座部および前記スイッチを覆い、且つ、腰掛けのための座部となるカバーと、を備える、
ことを特徴とするフィルム密封式便座装置。
【請求項２】
請求項１に記載のフィルム密封式便座装置において、
前記スイッチは、前記フィルム密封式便座装置本体の側面に設けられ、
前記カバーは、前記便座部に装着された状態において前記スイッチを覆う鍔部を有する、
ことを特徴とするフィルム密封式便座装置。
【請求項３】
請求項２に記載のフィルム密封式便座装置において、
前記鍔部の内側面と前記スイッチとの間に隙間が生じるように、前記側面と前記鍔部が構成されている、
ことを特徴とするフィルム密封式便座装置。
【請求項４】
請求項３に記載のフィルム密封式便座装置において、
前記側面を前記鍔部から離れるように後退させることにより、前記鍔部の内側面と前記スイッチとの間に前記隙間が設けられている、
ことを特徴とするフィルム密封式便座装置。
【請求項５】
請求項２ないし４の何れか一項に記載のフィルム密封式便座装置において、
前記スイッチは、操作面を押し込むことで操作が検出されるプッシュ型スイッチであり、
前記スイッチの前記操作面が前記側面よりも前記支持体の内部に位置付けられている、
ことを特徴とするフィルム密封式便座装置。
【請求項６】
請求項２ないし５の何れか一項に記載のフィルム密封式便座装置において、
前記側面は、前記フィルム密封式便座装置本体の前面であり、
前記鍔部は、前記カバーの前端から垂れ下がるように設けられている、
ことを特徴とするフィルム密封式便座装置。
【請求項７】
請求項６に記載のフィルム密封式便座装置において、
前記スイッチは、前記フィルム密封式便座装置本体の前記前面の上部に配置されている、
ことを特徴とするフィルム密封式便座装置。
【請求項８】
請求項７に記載のフィルム密封式便座装置において、
前記スイッチは、前記フィルム密封式便座装置本体の前記前面の、左右方向の中央付近に配置されている、
ことを特徴とするフィルム密封式便座装置。
【請求項９】
請求項１ないし８の何れか一項に記載のフィルム密封式便座装置において、
前記カバーおよび前記フィルム密封式便座装置本体には、互いに係合して前記カバーの位置ずれを規制する係合部が設けられている、
ことを特徴とするフィルム密封式便座装置。
【請求項１０】
請求項１ないし９の何れか一項に記載のフィルム密封式便座装置において、
前記カバーは、少なくとも座面が弾性を有する部材により形成されている、
ことを特徴とするフィルム密封式便座装置。
【発明の詳細な説明】
【技術分野】
【０００１】
本発明は、樹脂製のフィルムにより収容物を密封するフィルム密封式便座装置に関する。
【背景技術】
【０００２】
従来、フィルム中に排泄物や汚物等を密封する密封式便座装置が知られている（たとえば、特許文献１）。この種の密封式便座装置では、排泄物や汚物等が通る通路にフィルムが配され、所定の送り機構によって、フィルムが下方に送られる。
【０００３】
排泄の際には、フィルム内に汚物が収容された状態で、フィルムの上部が溶着され、フィルム内に汚物が密封される。このとき、同時に、この溶着位置よりもやや上の位置でフィルムが溶着されて、フィルムに、次の汚物を収容するための底が形成される。また、これら２つの溶着位置の中間部分が切断されて、汚物を密封したフィルムが切り離される。
【先行技術文献】
【特許文献】
【０００４】
【特許文献１】特開２００７−１１７２８４号公報
【発明の概要】
【発明が解決しようとする課題】
【０００５】
上記構成の密封式便座装置では、排泄物をフィルムに密封する機構部が、椅子型の本体部に装着される構成が用いられ得る。この構成では、外観から便座装置の機能を払拭することにより、便座装置を家具としての椅子に共用可能である。これにより、便座装置がプライベート空間に設置されるような場合にも、使用者のプライバシーを保護しつつ、便座装置の利便性および多様性を高めることができる。ただし、この構成では、便座装置を椅子として用いる場合に、誤って便座装置の機能が作動することを防ぐ必要がある。椅子としての使用状況において、便座装置の機能が作動すると、作動時の音や振動により着座者に驚きを与えることがあり、また、フィルムが無駄に消費されることとなってしまう。
【０００６】
上記課題に鑑み、本発明は、家具としての椅子に共用可能で、且つ、椅子として利用される場合に便座装置の機能が誤って作動することを抑制可能な密封式便座装置を提供することを目的とする。
【課題を解決するための手段】
【０００７】
本発明の主たる態様は、フィルムにより排泄物を密封するフィルム密封式便座装置に関する。この態様に係るフィルム密封式便座装置は、排泄物をフィルムに密封するフィルムユニットと、前記フィルムユニットを支持し、床面に載置可能な支持体と、フィルム密封式便座装置本体の外部に露出する面に配置され前記フィルムユニットを作動させるスイッチと、前記支持体に支持された前記フィルムユニットの上面を覆い、排泄物が前記フィルムユニットへと通過する開口を有する便座部と、前記便座部に着脱可能に設けられ、前記便座部に装着された状態において、前記便座部および前記スイッチを覆い、且つ、腰掛けのための座部となるカバーと、を備える。
【０００８】
本態様に係るフィルム密封式便座装置によれば、便座部とスイッチがカバーで覆われるため、外観から便座装置の機能が払拭される。また、スイッチがカバーで覆われるため、フィルム密封式便座装置が椅子として用いられる場合に、誤ってスイッチが操作されて便座装置の機能が作動することが防止される。
【０００９】
本態様に係るフィルム密封式便座装置は、前記スイッチが、前記フィルム密封式便座装置本体の側面に設けられ、前記カバーが、前記便座部に装着された状態において前記スイッチを覆う鍔部を有するよう構成され得る。
【００１０】
この場合、前記鍔部の内側面と前記スイッチとの間に隙間が生じるように、前記側面と前記鍔部が構成されることが望ましい。こうすると、外力により鍔部がスイッチ側に撓んだとしても、誤ってスイッチが操作されることがない。
【００１１】
たとえば、前記側面を前記鍔部から離れるように後退させることにより、前記鍔部の内側面と前記スイッチとの間に前記隙間が設けられる。
【００１２】
なお、前記スイッチが、操作面を押し込むことで操作が検出されるプッシュ型スイッチである場合、前記スイッチの前記操作面が前記側面よりも前記支持体の内部に位置付けられることが望ましい。このように、スイッチの操作面をその周囲よりも奥に後退させることにより、外力により鍔部がスイッチ側に撓んだ場合や排泄時に使用者の足がスイッチに接近した場合にも、スイッチが操作されにくくなる。よって、スイッチが誤操作されることが、より確実に、回避され得る。また、排泄時において、使用者は、指で凹みを探すことでスイッチの位置を認識でき、便座に座った状態で、視覚によらず触覚により、スイッチを探すことができる。
【００１３】
なお、前記スイッチが配置される前記側面は、前記フィルム密封式便座装置本体の前面であることが望ましく、前記鍔部は、前記カバーの前端から垂れ下がるように設けられることが望ましい。こうすると、使用者は、スイッチに容易に手を伸ばすことができる。また、便座の左右にひじ掛け等が設けられる場合にも、スイッチと鍔部を円滑に配置することができる。
【００１４】
なお、前記スイッチは、前記フィルム密封式便座装置本体の前記前面の上部、好ましくは、上縁付近に配置することが望ましい。こうすると、使用者は、より容易にスイッチに手で触れることができる。
【００１５】
また、前記スイッチは、前記フィルム密封式便座装置本体の前記前面の、左右方向の中央付近に配置することが望ましい。通常、使用者は、左右の足をやや開いた状態で便座に座る。このため、フィルム密封式便座装置本体前面の、左右方向の中央位置に、使用者の足が対向することが起こりにくい。したがって、スイッチを、フィルム密封式便座装置本体前面の、左右方向の中央位置に配置することにより、使用の際に使用者の足が誤ってスイッチに触れて便座装置の機能が作動することを、より確実に防ぐことができる。
【００１６】
本態様に係るフィルム密封式便座装置において、前記カバーおよび前記フィルム密封式便座装置本体には、互いに係合して前記カバーの位置ずれを規制する係合部が設けられることが望ましい。こうすると、カバーがずれることにより、鍔部がスイッチに触れることを防止できる。よって、フィルム密封式便座装置を椅子として使用する際に、誤って便座装置の機能が作動することを、より確実に防ぐことができる。
【００１７】
本態様に係るフィルム密封式便座装置において、前記カバーは、少なくとも座面が弾性を有する部材により形成されることが望ましい。こうすると、フィルム密封式便座装置を椅子として用いる場合に、座り心地を高めることができる。
【発明の効果】
【００１８】
以上のとおり、本発明によれば、家具としての椅子に共用可能で、且つ、椅子として利用される場合に便座装置の機能が誤って作動することを抑制可能な密封式便座装置を提供することができる。
【００１９】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００２０】
【図１】実施の形態に係る構成体と、フィルム収容ガイドと、枠の構成を示す斜視図である。
【図２】実施の形態に係るフィルムユニットの構成を示す斜視図、フィルムの外観を示す模式図、および、フィルムユニットにセットされたフィルムを示す模式図である。
【図３】実施の形態に係る支持体の構成を示す分解斜視図である。
【図４】実施の形態に係るフィルムユニットが設置される支持体の構成を示す斜視図である。
【図５】実施の形態に係る座面枠と、背もたれと、ひじ掛けの構成を示す斜視図である。
【図６】実施の形態に係る構成体と便座の構成を示す斜視図である。
【図７】実施の形態に係る構成体とカバーの構成を示す斜視図である。
【図８】実施の形態に係るカバーの構成を示す斜視図である。
【図９】実施の形態に係る組み立てが終了した便座装置の構成を示す斜視図である。
【図１０】実施の形態に係る便座装置を示す断面図である。
【図１１】実施の形態に係るフィルム送り機構とシール機構の構成を示す斜視図である。
【図１２】実施の形態に係る排泄処理時におけるフィルムユニットの動作を説明する図である。
【図１３】実施の形態に係る排泄処理時におけるフィルムユニットの動作を説明する図である。
【発明を実施するための形態】
【００２１】
以下、本発明の実施の形態につき図面を参照して説明する。
【００２２】
以下に示す実施の形態において、便座装置１は、請求項に記載の「フィルム密封式便座装置」に相当する。便座装置１から背もたれ５２、ひじ掛け５３、５４およびカバー５６を取り外した構成体が、請求項に記載の「フィルム密封式便座装置本体」に相当する。前面部４２ｂは、請求項に記載の「側面」および「前面」に相当する。座面枠５１の水平部５１ａと便座５５は、請求項に記載の「便座部」に相当する。カバー５６の突起５６ｃと座面枠５１の凹部５１ｅは、請求項に記載の「係合部」に相当する。ただし、上記請求項と本実施の形態との対応の記載は、あくまで一例であって、請求項に係る発明を本実施の形態に限定するものではない。
【００２３】
まず、図１〜図９を参照して、本実施の形態に係る便座装置１の構成を組み立て手順に沿って説明する。便座装置１は、主に、介護施設の個室や災害時等、トイレ設備のない場所で用いられ、排泄物を樹脂製の筒状フィルムで密封（シール）することが可能な機構を有する。なお、本実施の形態の説明において参照する図面には、便宜上、互いに直交するＸ、Ｙ、Ｚ軸が示されている。Ｘ−Ｙ平面は、水平面に平行で、Ｚ軸方向は鉛直方向である。
【００２４】
図１は、メカ構成体１０と、フィルム収容ガイド２１と、枠２２の構成を示す斜視図である。
【００２５】
メカ構成体１０は、ベース１１と、機構部１２と、ガイド１３を備えている。ベース１１には、水平面に平行な上面１１ａと、ベース１１を上下方向に貫通する開口１１ｂが設けられている。機構部１２は、ベース１１の下面側に設置されており、ベース１１に設置された回路基板（図示せず）と接続されている。ガイド１３は、上面が水平面に対して傾いた状態となるよう、ベース１１の下面側に設置されている。なお、機構部１２は、フィルム送り機構１００とシール機構２００を備えている。フィルム送り機構１００とシール機構２００の構成については、追って、図１１を参照して説明する。
【００２６】
フィルム収容ガイド２１は、平面視において、略楕円の形状を有する。フィルム収容ガイド２１には、略楕円形状の開口２１ａが形成されており、フィルム収容ガイド２１の内壁には、２つの孔２１ｂが形成されている。枠２２は、平面視において、略楕円の形状を有する。枠２２には、略楕円形状の開口２２ａが形成されており、上面部２２ｂの裏側には、下側に延びる２つの板部２２ｃが形成されている。
【００２７】
組み立て時には、まず、ベース１１の上面１１ａに、フィルム収容ガイド２１が設置される。続いて、枠２２の板部２２ｃがフィルム収容ガイド２１の孔２１ｂに嵌め込まれることにより、枠２２がフィルム収容ガイド２１に装着される。こうして、図２（ａ）に示すフィルムユニット３０が完成する。フィルムユニット３０は、フィルムユニット３０にセットされたフィルムＦを密封（シール）する機能を有する。
【００２８】
図２（ｂ）、（ｃ）は、それぞれ、フィルムＦの外観を示す模式図と、フィルムユニット３０にセットされたフィルムＦを示す模式図である。
【００２９】
フィルムＦは、樹脂製の筒状フィルムであり、筒形状の外周方向に予め折り畳まれている。フィルムユニット３０にフィルムＦがセットされる場合、枠２２がフィルム収容ガイド２１から取り外され、フィルムＦが、フィルム収容ガイド２１に上方から嵌め込まれる。その後、枠２２がフィルム収容ガイド２１に装着され、フィルムＦが枠２２の下側に位置付けられる。そして、フィルムＦの端部が上方向に引き出され、枠２２の開口２２ａとフィルム収容ガイド２１の開口２１ａに対して、下方向に通される。その後、開口２１ａ、２２ａに通されたフィルムＦの端部が、さらに、ベース１１の開口１１ｂに挿入され、機構部１２に取り付けられる。こうして、図２（ｃ）に示すように、フィルムユニット３０にフィルムＦがセットされる。
【００３０】
なお、実使用時には、図９に示すように便座装置１が組み立てられた後に、フィルムＦのセットが行われる。すなわち、便座装置１からカバー５６と便座５５が外された状態（図６参照）で、開口５１ｄから露出するフィルムユニット３０に対して、上記のように、フィルムＦがセットされる。
【００３１】
図３（ａ）は、フレーム４１の構成を示す斜視図であり、図３（ｂ）、（ｃ）は、支持部４２およびスイッチ４３の構成を示す斜視図であり、図３（ｄ）は、脚部４４の構成を示す斜視図であり、図３（ｅ）は、化粧板４５の構成を示す斜視図である。
【００３２】
図３（ａ）を参照して、フレーム４１は、背面部４１ａと、２つの側面部４１ｂ、を備える。背面部４１ａと２つの側面部４１ｂは、背面部４１ａを挟むようにして一体的に形成されている。背面部４１ａと２つの側面部４１ｂの接続部分は、ヒンジとなっており、背面部４１ａと、２つの側面部４１ｂが直線上に並ぶように２つの側面部４１ｂを広げることができる。背面部４１ａのＹ軸負側の面には、略方形状の２つの凹部４１ｃと、Ｘ軸方向に延びる溝４１ｄが形成されている。２つの側面部４１ｂには、それぞれ、２つの孔４１ｅが形成されている。Ｘ軸正側の側面部４１ｂには、Ｘ軸負側の面にＹ軸方向に延びる溝４１ｆと、凹部４１ｇが形成されている。Ｘ軸負側の側面部４１ｂにも、Ｘ軸正側の面に同様にＹ軸方向に延びる溝と、凹部が形成されている（図示せず）。凹部４１ｇは、１つの角が欠けた長方形の形状を有する。凹部４１ｇは、長辺がＺ軸方向から前側にやや傾くように形成されている。凹部４１ｇの奥には、ネジ孔が形成されている。Ｘ軸負側の側面部４１ｂには、脚装着部４１ｈが形成されている。また、Ｘ軸正側の側面部４１ｂにも同様の脚装着部が形成されている（図示せず）。脚装着部４１ｈには、脚部４４のＺ軸方向の高さ位置を決める窪み４１ｉがＺ軸方向に所定の間隔で並ぶように形成されている。また、脚装着部４１ｈには、多数のネジ穴４１ｊが形成されている。
【００３３】
図３（ｂ）、（ｃ）を参照して、支持部４２は、底板４２ａと、前面部４２ｂと、２つの梁部４２ｃとを備える。底板４２ａのＸ軸方向の幅は、フレーム４１の２つの側面部４１ｂの間の幅よりも僅かに小さい。底板４２ａには、上下方向に貫通する開口４２ｄが形成されている。前面部４２ｂは、Ｚ軸方向に見て円弧形状となっている。前面部４２ｂの上端は、下端よりもややＹ軸負側に位置付けられている。すなわち、前面部４２ｂは、Ｚ軸正方向から前側に所定の角度で傾いている。前面部４２ｂのＺ軸方向の高さは、フレーム４１の側面部４１ｂのＺ軸方向の高さよりも低い。前面部４２ｂの内側面の中央には、凹部４２ｅが形成されており、凹部４２ｅには、Ｙ軸方向に貫通する開口４２ｆが形成されている。
【００３４】
スイッチ４３は、フィルムユニット３０の動作させるための入力部である。スイッチ４３は、操作面を押し込むことで操作が検出されるプッシュ型スイッチからなっている。スイッチ４３の操作部のＸ軸方向およびＹ軸方向の幅は、開口４２ｆよりも小さい。スイッチ４３は、先端の操作部が開口４２ｆに通され、スイッチ４３の後部に接続された回路基板（図示せず）が凹部４２ｅに嵌め込まれる。このとき、スイッチ４３の操作部の表面（操作面）は、前面部４２ｂの表面よりも僅かにＹ軸正側に位置付けられている。また、前面部４２ｂのＸ軸正側、負側の側面には、それぞれ、フレーム４１の凹部４１ｇと係合する段部４２ｇが形成されている。段部４２ｇには、それぞれ、隅にネジ孔が形成されている。
【００３５】
図３（ｄ）を参照して、脚部４４は、４本の脚４４ａと、Ｘ軸負側の２本の脚４４ａ、および、Ｘ軸正側の２本の脚４４ａを、それぞれ、連結する２つの脚連結板４４ｂを備える。脚４４ａと脚連結板４４ｂは、ネジ４４ｃによって固定されている。脚４４ａの裏面には、それぞれ、２つの凸部４４ｄが形成されている。
【００３６】
図３（ｅ）を参照して、化粧板４５は、略長方形の薄板の形状を有する。化粧板４５には、複数のネジ孔が形成されている。
【００３７】
組み立て時には、まず、２つの側面部４１ｂをやや外側に広げた状態で、底板４２ａのＹ軸正側の端部がフレーム４１の溝４１ｄに嵌め込まれ、同時に、梁部４２ｃのＹ軸負側の端部がフレーム４１の凹部４１ｃに嵌め込まれる。この状態で、Ｘ軸正側の側面部４１ｂがＸ軸負側に閉じられる。これにより、Ｘ軸正側の側面部４１ｂの溝４１ｆに底板４２ａのＸ軸正側の端部が嵌り、また、Ｘ軸正側の側面部４１ｂの凹部４１ｇに前面部４２ｂのＸ軸正側の段部４２ｇに嵌まる。同様にして、Ｘ軸負側の側面部４１ｂの溝に底板４２ａのＸ軸負側の端部が嵌め込まれ、Ｘ軸負側の側面部４１ｂの凹部に前面部４２ｂのＸ軸負側の段部４２ｇが嵌め込まれる。この状態で、段部４２ｇに形成されたネジ孔を介して脚装着部４１ｈに形成されたネジ穴にネジが螺着される。これにより、支持部４２がフレーム４１に装着される。
【００３８】
次に、脚４４ａの裏面に形成された凸部４４ｄがフレーム４１の脚装着部４１ｈに設けられた窪み４１ｉに嵌め込まれ、脚部４４のＺ軸方向の高さ位置が決められる。そして、脚連結板４４ｂに設けられたネジ孔４４ｅを介して、脚装着部４１ｈに設けられたネジ穴４１ｊにネジが螺着される。これにより、脚部４４がフレーム４１に固定される。脚部４４がフレーム４１の脚装着部４１ｈに装着された状態で化粧板４５が側面部４１ｂにネジにより固定される。こうして、図４に示す支持体４０が完成する。
【００３９】
図４は、支持体４０の構成を示す斜視図である。
【００４０】
図４に示すように、フレーム４１と、円弧状に湾曲した前面部４２ｂによって底板４２ａが支えられ、さらに、フレーム４１が脚４４ａによって支えられることにより、開口４２ｄの下側に大きなスペースが生じる。これにより、このスペースに、後述のようにして密封されたフィルムＦを回収するための箱等を設置することができる。
【００４１】
組み立て時には、フィルムユニット３０が凹部４０ａに嵌め込まれるように、フィルムユニット３０が支持体４０に設置される。フィルムユニット３０は、ベース１１の左右の側縁部が、それぞれ、２つの梁部４２ｃに載置されネジ留めされる。そして、スイッチ４３の回路基板と、フィルムユニット３０の回路基板とが電気的に接続される。
【００４２】
フレーム４１と前面部４２ｂは、２つの梁部４２ｃより接続されているため、フィルムユニット３０の荷重による負荷が分散される。これにより、支持体４０の耐久性を高めることができる。
【００４３】
図５（ａ）は、座面枠５１の構成を示す斜視図であり、図５（ｂ）、（ｃ）は、背もたれ５２の構成を示す斜視図であり、図５（ｄ）、（ｅ）は、それぞれ、ひじ掛け５３、５４の構成を示す斜視図である。
【００４４】
図５（ａ）を参照して、座面枠５１は、水平面に平行な水平部５１ａと、Ｘ―Ｙ平面に略垂直な背面部５１ｂを有している。背面部５１ｂの上端は、角が面取りされており、丸みを帯びた形状を有している。また、背面部５１ｂの上端の裏面は、背面部５１ｂの背面から上部がＹ軸負側に傾くように傾斜している。こうして、背面部５１ｂの上部は、先細りの形状となっている。
【００４５】
水平部５１ａには、水平部５１ａの上面よりも一段低い凹部５１ｃが形成されており、凹部５１ｃには、水平部５１ａを上下方向に貫通する略楕円形状の開口５１ｄが形成されている。また、水平部５１ａの上面には、円形の凹部５１ｅが２つ形成されている。また、凹部５１ｃの上面には、略円形に窪んだ係合部５１ｆが２つ形成されている。背面部５１ｂには、背面部５１ｂをＹ軸方向に貫通する開口５１ｇが形成されている。
【００４６】
図５（ｂ）を参照して、背もたれ５２は、クッション性のある材質で形成されている。背もたれ５２は、座面枠５１の開口５１ｇよりも大きい。背もたれ５２には、鍔部５２ａが形成されている。鍔部５２ａの下面には、図５（ｃ）に示すように、背面部５１ｂの上端が嵌り込む凹部５２ｂが形成されている。背面部５１ｂの上端を凹部５２ｂに嵌め込むようにして、背もたれ５２を背面部５１ｂに掛ける。背もたれ５２の下端は、Ｘ軸方向に見て円弧形状となっており、水平部５１ａと背面部５１ｂとの境界付近は、背もたれ５２の下端の形状と対応するように、Ｘ軸方向に見て円弧形状となっている。
【００４７】
図５（ｄ）を参照して、ひじ掛け５３は、平板５３ａと２本の軸５３ｂを有している。軸５３ｂは、平板５３ａの下面に設置されており、平板５３ａの下面から下方向に突出している。平板５３ａのＸ軸正側とＸ軸負側の面の上部には、それぞれ、Ｙ軸方向に見て円弧形状の凹部５３ｃが形成されている。図５（ｅ）を参照して、ひじ掛け５４は、ひじ掛け５３と同様の構成となっており、平板５４ａと、２本の軸５４ｂと、凹部５４ｃを有している。
【００４８】
組み立て時には、図４に示すようにフィルムユニット３０が支持体４０に嵌め込まれた後、座面枠５１が支持体４０の上部に設置される。続いて、座面枠５１の背面部５１ｂの上端に鍔部５２ａが掛けられることにより、背もたれ５２が座面枠５１に設置される。そして、側面部４１ｂの孔４１ｅに軸５３ｂが通されることにより、ひじ掛け５３が支持体４０に設置され、側面部４１ｂの孔４１ｅに軸５４ｂが通されることにより、ひじ掛け５４が支持体４０に設置される。こうして、図６に示す構成体６０が完成する。
【００４９】
図６は、構成体６０と便座５５の構成を示す斜視図である。なお、図６では、便宜上、フィルムユニット３０の図示が省略されている。
【００５０】
図６を参照して、この状態で背もたれ５２は、ひじ掛け５３、５４に挟まれており、Ｘ軸方向の移動が抑制されている。また、背もたれ５２の凹部５２ｂは、背面部５１ｂの上端に嵌り込んでいるため、前側に倒れ込むことが抑制されている。このように、背もたれ５２は、Ｚ軸方向に容易に取り外し可能であり、且つ、Ｘ軸方向、およびＹ軸方向に移動しないように便座装置１に装着されている。
【００５１】
便座５５は、水平面に平行な水平部５５ａを有し、水平部５５ａのＹ軸正側の端部に、下方向に延びる鍔部５５ｂが形成されている。水平部５５ａには、略中央に便座５５を上下方向に貫通する開口５５ｃが形成されている。開口５５ｃは、Ｙ軸正側が狭く、Ｙ軸負側に向かうに従って広がった略涙型の形状を有する。開口５５ｃのＹ軸正側の端部には、Ｙ軸負側に後退した拡張部５５ｄが延設されている。便座５５のＺ軸負側の面の、Ｙ軸負側の隅には、それぞれ、座面枠５１の係合部５１ｆと係合する凸部が形成されている（図示せず）。
【００５２】
組み立て時には、座面枠５１の凹部５１ｃに対して便座５５が嵌め込まれるように、便座５５が座面枠５１に設置される。これにより、座面枠５１の係合部５１ｆに便座５５の凸部（図示せず）が係合し、便座５５のＹ軸方向へのずれが抑制される。こうして、図７に示す構成体７０が完成する。
【００５３】
図７は、構成体７０とカバー５６と座面インサート板５７の構成を示す斜視図である。図８（ａ）は、カバー５６のＺ軸正側の構成を示す斜視図、図８（ｂ）は、カバー５６のＺ軸負側の構成を示す斜視図である。なお、図７では、便宜上、フィルムユニット３０の図示が省略されている。
【００５４】
図８（ａ）を参照して、カバー５６は、クッション性のある材質で形成されている。カバー５６は、水平面に平行な水平部５６ａを有し、水平部５６ａのＹ軸負側の端部に、下方向に延びる鍔部５６ｂが形成されている。また、図８（ｂ）に示すように、カバー５６の裏面には、座面枠５１の２つの凹部５１ｅ（図５（ａ）参照）に対応する位置に、それぞれ、円形の突起５６ｃが形成されている。
【００５５】
図７に戻り、座面インサート板５７は、略長方形の薄板状の形状を有する。座面インサート板５７のＹ軸正側の隅には、それぞれ、孔５７ａが形成されている。水平部５６ａのＸ軸方向の幅は、座面枠５１のＸ軸方向と略等しく、水平部５６ａのＹ軸方向の幅は、座面枠５１のＹ軸方向の幅よりもやや大きい。座面インサート板５７のＸ軸方向の幅、およびＹ軸方向の幅は、それぞれ、カバー５６の水平部５６ａのＸ軸方向の幅、およびＹ軸方向の幅よりも僅かに小さい。座面インサート板５７は、カバー５６の成形時に、カバー５６の内部にインサートされる。カバー５６には、座面インサート板５７の孔５７ａの位置に突起５６ｃが形成される。
【００５６】
組み立て時には、カバー５６の裏面に形成された突起５６ｃ（図８（ｂ）参照）を座面枠５１の凹部５１ｅに嵌め込むようにして、座面枠５１の水平部５１ａと便座５５にカバー５６が載置される。カバー５６裏面の突起５６ｃ（図８（ｂ）参照）が座面枠５１の凹部５１ｅに嵌り込むことにより、カバー５６のＹ軸方向のずれが抑制される。こうして、図９に示す便座装置１が完成し、便座装置１の組み立てが終了となる。
【００５７】
このように、座面インサート板５７によりカバー５６が補強されるため、便座５５の開口５５ｃに対するカバー５６の沈み込みを抑制することができる。
【００５８】
図９は、組み立てが終了した便座装置１の構成を示す斜視図である。
【００５９】
図９に示す便座装置１では、便座５５の上にカバー５６が載置されているため、使用者がカバー５６の上面に着座して、図９に示す便座装置１を椅子として使用することも可能である。
【００６０】
図１０は、便座装置１のＸ軸方向の中央位置におけるＹ−Ｚ平面の断面図である。
【００６１】
図１０を参照して、便座５５の上にカバー５６が載置されると、スイッチ４３が、カバー５６の鍔部５６ｂにより覆われる。また、スイッチ４３の操作部が開口４２ｆに収容されるため、スイッチ４３の操作面は、支持部４２の前面部４２ｂの表面よりも僅かにＹ軸正側に後退した位置に位置付けられる。さらに、カバー５６の鍔部５６ｂは、Ｚ軸方向に垂れ下がるのに対し、前面部４２ｂは、下端が後退するように傾いている。したがって、鍔部５６ｂの裏面とスイッチ４３との間に隙間が生じる。
【００６２】
使用者が排泄を行う場合、使用者または作業者によりカバー５６が取り外され、図７に示す便座装置１が、図７に示す構成体７０とされる。この状態で、使用者が便座５５の上に着座し排泄を行う。前面部４２ｂの下端がＹ軸負側に後退するように傾いているため、使用者は、膝を直角よりも鋭角に曲げた状態で便座５５の上に着座することができる。排泄の後、スイッチ４３が押されると、フィルムユニット３０が作動し、後述のように、排泄物を収容したフィルムＦに対してシーリングが行われる。このとき、スイッチ４３は、前面部４２ｂに設けられているため、使用者は、容易に、フィルムユニット３０を作動させるためのスイッチ４３を押すことができる。
【００６３】
次に、図１１〜図１３（ｂ）を参照して、フィルムユニット３０のフィルム送り機構１００とシール機構２００の構成について説明する。
【００６４】
図１１は、フィルム送り機構１００とシール機構２００の構成を示す斜視図である。
【００６５】
図１１を参照して、フィルム送り機構１００は、モータ１０１と、シャフト１０２と、４つのローラ１０３と、多数のギアを含む機構部を備えている。また、シール機構２００は、モータ２０１と、シャフト２０２と、２つのシャフト２１１と、２つのバネ２１２と、加熱機構２２０と、圧着機構２３０と、引き剥がし機構２４０と、多数のギアを含む機構部を備えている。
【００６６】
モータ１０１の駆動力は、多数のギアを介して、Ｘ軸負側の２つのローラ１０３に伝えられる。これら２つのローラ１０３は、互いに接する部分が共に下方向に向かうように回転される。すなわち、２つのローラ１０３は、回転方向が互いに反対となるように駆動される。また、モータ１０１の駆動力は、シャフト１０２と多数のギアを介して、Ｘ軸正側の２つのローラ１０３に伝えられる。したがって、モータ１０１が駆動されると、Ｘ軸正側の２つのローラ１０３も駆動される。なお、Ｘ軸正側の２つのローラ１０３の構成は、Ｘ軸負側の２つのローラ１０３の構成と同様である。
【００６７】
互いに接する２つのローラ１０３の間には、フィルムＦの端縁が挟み込まれる。したがって、モータ１０１の駆動力によってローラ１０３が回転されると、Ｘ軸正側の２つのローラ１０３とＸ軸負側の２つのローラ１０３により、フィルムＦが下方向（Ｚ軸負方向）に送られる。
【００６８】
モータ２０１の駆動力は、シャフト２０２と多数のギアを介して、圧着機構２３０のラック２３１ａに伝えられる。ラック２３１ａは、圧着機構２３０のベース２３１に設けられ、ベース２３１は、２つのシャフト２１１によってＹ軸方向に移動可能に支持されている。したがって、モータ２０１が駆動されると、ベース２３１がＹ軸方向に移動される。ベース２３１には、圧着部２３２（図１２（ａ）参照）が設けられている。圧着部２３２は、加熱機構２２０のヒータ２２１（図１２（ａ）参照）と対向し、その表面にフィルムＦを切断するための突条部２３２ａ（図１２（ａ）参照）を備えている（図示せず）。圧着部２３２は、弾性を有し、熱耐性の高い材料から構成されている。突条部２３２ａは、圧着部２３２よりも硬く、Ｘ軸方向に延びるように設けられている。
【００６９】
加熱機構２２０は、ヒータ２２１（図１２（ａ）参照）を備える。ヒータ２２１（図１２（ａ）参照）は、結晶化ガラス等の基材の上に、平面視において蛇行形状の発熱部が設けられた構成となっている。ヒータ２２１（図１２（ａ）参照）の発熱部は、電流を印加することにより発熱し、フィルムＦの下底を形成するための熱圧着と、フィルムＦの切断と、フィルムＦの上部を密封するための熱圧着に用いられる。ヒータ２２１（図１２（ａ）参照）のＹ軸負側の面には、後述するフィルムＦの溶着と切断時にフィルムＦが剥がれ易くなるよう、フッ素加工が施されたテープが貼付される。
【００７０】
引き剥がし機構２４０は、ベース２４１と、ベース２４１のＹ軸負側の面に設置されたゴム２４２（図１２（ａ）参照）とを備えている。ベース２４１は、シャフト２１１によってＹ軸方向に移動可能に支持されている。ベース２４１は、バネ２１２によってＹ軸負方向に付勢され、ストッパー（図示せず）によってＹ軸負側の面が規制されている。したがって、ベース２４１は、バネ２１２の付勢に抗して、所定の範囲だけ、Ｙ軸方向に移動可能である。図１１には、Ｘ軸負側のバネ２１２付近の構成のみが示されているが、Ｘ軸正側のバネ２１２付近の構成もＸ軸負側のバネ２１２付近の構成と同様である。
【００７１】
引き剥がし機構２４０のベース２４１には、Ｙ軸方向に貫通する開口が形成されている。加熱機構２２０のヒータ２２１（図１２（ａ）参照）は、ベース２４１の開口を介して、Ｙ軸負側が開放された状態となっている。これにより、圧着機構２３０がＹ軸正方向に移動されたとき、圧着機構２３０の圧着部２３２（図１２（ａ）参照）と加熱機構２２０のヒータ２２１（図１２（ａ）参照）が当接するようになる。
【００７２】
引き剥がし機構２４０のベース２４１には、ヒータ２２１に対して上側および下側の位置に、それぞれ、Ｙ軸負方向に突出するＵ字状の羽根部２４１ａが形成されている。羽根部２４１ａは、圧着機構２３０のベース２３１がＹ軸負方向に送られることにより、２組のローラ１０３により送られたフィルムＦを束ねてＸ軸方向の広がりを抑制するためのものである。
【００７３】
図１２（ａ）〜図１３（ｂ）は、排泄処理時におけるフィルムユニット３０の動作を説明する図である。図１２（ａ）〜図１３（ｂ）は、フィルムユニット３０をＹ−Ｚ平面に平行な面で切断した断面図である。破線は、Ｘ軸正側の２つのローラ１０３に挟まれた状態のフィルムＦを示している。
【００７４】
図１２（ａ）に示すように、シール動作前の状態では、フィルムＦは、２組のローラ１０３に挟まれており、フィルムＦの底は、ヒータ２２１周辺の高さの位置に位置付けられている。なお、フィルムＦの底は、初期セットアップ時または前回のシール動作時において、密着されている。この状態で、排泄物等がフィルムＦに収容される。
【００７５】
排泄物等がフィルムＦに収容され、その後、シール動作が開始されると、モータ１０１（図１１参照）が駆動され、２組のローラ１０３によりフィルムＦが下方向（Ｚ軸負方向）に送られる。これにより、図１２（ｂ）に示す状態となる。なお、シール動作は、たとえば、排泄後に作業者または使用者がスイッチ４３を介して排泄終了の指示を入力することにより開始される。
【００７６】
ローラ１０３によりフィルムＦが下方向に送られた後、モータ２０１（図１１参照）が駆動され、圧着機構２３０がＹ軸正方向に送られる。これにより、フィルムＦは、引き剥がし機構２４０の羽根部２４１ａによりＸ軸方向の広がりが抑制されながら、Ｙ軸正方向に寄せられる。さらに、圧着部２３２がＹ軸正方向に送られると、圧着部２３２はフィルムＦを介してゴム２４２に当接し、シャフト２１１に配されたバネ２１２の付勢に抗して、引き剥がし機構２４０をＹ軸正方向に押し出す。そして、さらに圧着部２３２がＹ軸正方向に送られると、図１３（ａ）に示すように、圧着部２３２とヒータ２２１が、フィルムＦを介して密着する。
【００７７】
この状態で、ヒータ２２１が駆動され、フィルムＦが溶融される。このとき、ヒータ２２１の上側領域の熱により、次に排泄物等を収容するためのフィルムＦの下底が形成され、ヒータ２２１の下側領域の熱により、排泄物等が収容されたフィルムＦの上部が密封される。さらに、ヒータ２２１の中央部分、すなわち、圧着部２３２の突条部２３２ａによってフィルムＦが押し付けられる部分の熱により、フィルムＦが切断される。
【００７８】
フィルムＦの密封と切断が完了すると、圧着機構２３０がＹ軸負方向に戻される。これにより、圧着部２３２がヒータ２２１とゴム２４２から離れ、引き剥がし機構２４０が、シャフト２１１に配されたバネ２１２により所定幅だけＹ軸負方向に送られる。このとき、圧着部２３２とヒータ２２１により密着されたフィルムＦは、引き剥がし機構２４０により、ヒータ２２１の位置から所定幅だけＹ軸負側に寄せられる。これにより、ヒータ２２１にフィルムＦが貼り付いているような場合でも、フィルムＦがヒータ２２１から引き剥がされる。また、このとき、ローラ１０３によりフィルムＦが上方向に僅かに送られるため、さらに確実にフィルムＦがヒータ２２１から引き剥がされる。こうして、図１３（ｂ）に示すように、密封されたフィルムＦは支持体４０の開口４２ｄ（図４参照）を通って落下する。
【００７９】
排泄処理時の動作が完了すると、フィルムユニット３０は、図１２（ａ）に示す状態に戻る。なお、密封されたフィルムＦが落下する位置に、密封されたフィルムＦを回収するための箱等を設置することにより、作業者は容易に密封されたフィルムＦを回収することができる。
【００８０】
＜実施の形態の効果＞
本実施の形態によれば、以下の効果が奏され得る。
【００８１】
図９および図１０に示すように、スイッチ４３が、カバー５６の鍔部５６ｂにより覆われているため、便座装置１が椅子として使用される場合に、使用者が誤ってスイッチ４３に触れることがない。よって、フィルムユニット３０が誤動作することを防止することができる。
【００８２】
図９および図１０に示すように、便座５５とスイッチ４３が、カバー５６の水平部５６ａおよび鍔部５６ｂで覆われているため、便座装置１が椅子として使用される場合に、外観から便座装置１の機能が払拭される。よって、便座装置１の美観を向上させることができ、第三者から便座装置であると認識されることがない。
【００８３】
図１０に示すように、鍔部５６ｂの内側面とスイッチ４３との間に隙間が生じるため、外力により鍔部５６ｂがスイッチ４３側に撓んだとしても、誤ってスイッチ４３が押されることがない。よって、フィルムユニット３０の誤動作を、より確実に防止することができる。
【００８４】
図１０に示すように、スイッチ４３の操作面が前面部４２ｂの表面よりもＹ軸正側に後退しているため、鍔部５６ｂがスイッチ４３側に撓んだ場合や、排泄時に使用者の足がスイッチ４３に接近した場合にも、スイッチ４３が操作されにくくなる。よって、スイッチ４３が誤操作されることが、より確実に、回避され得る。また、排泄時において、使用者は、指で凹みを探すことでスイッチ４３の位置を認識でき、便座に座った状態で、視覚によらず触覚により、スイッチ４３を探すことができる。
【００８５】
図７に示すように、スイッチ４３が便座装置１本体の前面の上縁付近に設けられているため、使用者は、スイッチ４３に容易に手を伸ばすことができる。また、便座５５の左右にひじ掛け５３、５４が設けられていても、スイッチ４３と鍔部５６ｂを円滑に配置することができる。
【００８６】
図７に示すように、スイッチ４３は、便座装置１本体前面の、左右方向の中央に配置されている。通常、使用者は、左右の足をやや開いた状態で便座５５に座る。このため、便座装置１本体前面の、左右方向の中央位置に、使用者の足が対向することが起こりにくい。したがって、スイッチ４３を、便座装置１本体前面の、左右方向の中央位置に配置することにより、使用の際に使用者の足が誤ってスイッチ４３に触れて便座装置１の機能が作動することを、より確実に防ぐことができる。
【００８７】
また、カバー５６の裏面に設けられた突起５６ｃと座面枠５１に設けられた凹部５１ｅが係合することにより、カバー５６のＹ軸方向のずれが抑制される。したがって、鍔部５６ｂの裏面がスイッチ４３に接触することにより、フィルムユニット３０が誤作動することを防止することができる。
【００８８】
スイッチ４３は、前面部４２ｂに設けられているため、排泄後、使用者は容易にフィルムユニット３０を作動させるためのスイッチ４３を押すことができる。
【００８９】
＜変更例＞
以上、本発明の実施の形態について説明したが、本発明は、上記実施の形態に何ら制限されるものではなく、本発明の構成例も他に種々の変更が可能である。
【００９０】
たとえば、上記実施の形態では、スイッチ４３は、前面部４２ｂに設けられたが、たとえば、支持体４０の他の側面または座面枠５１の水平部５１ａの上面に設けられても良い。たとえば、ひじ掛け５３、５４が省略される場合、スイッチ４３は、支持体４０の左または右の側面に設けられても良い。この場合、鍔部５６ｂは、スイッチ４３が配された側面に沿って垂れ下がるように設けられる。座面枠５１の水平部５１ａの上面にスイッチ４３が設けられる場合、カバー５６裏面のスイッチ４３に対応する位置に凹部を設け、スイッチ４３とカバー５６裏面との間に隙間が設けられる。
【００９１】
また、上記実施の形態では、前面部４２ｂを傾けることにより、鍔部５６ｂの内側面とスイッチ４３との間に隙間が設けられたが、これ以外の方法で隙間が設けられても良い。たとえば、前面部４２ｂのスイッチ４３が設けられる領域をＹ軸方向に凹ませることにより、鍔部５６ｂの内側面とスイッチ４３との間に隙間が設けられても良い。あるいは、鍔部５６ｂの下端が前面部４２ｂから離れるように鍔部５６ｂを傾けても良い。
【００９２】
また、上記実施の形態では、スイッチ４３は、前面部４２ｂの開口４２ｆに収容されたが、スイッチ４３が配置される場所の形状はこれに限られない。たとえば、Ｙ軸方向に貫通しない凹部にスイッチ４３が収容されても良い。少なくとも、スイッチ４３の操作面が前面部４２ｂの表面よりもＹ軸負側に位置付けられれば、上記実施の形態のように、スイッチ４３の誤操作が抑制され得る。
【００９３】
また、上記実施の形態では、図１０に示すように、鍔部５６ｂがＺ軸方向に延び、前面部４２ｂの下端がＺ軸負方向からＹ軸負側に傾くように構成されたが、鍔部５６ｂと前面部４２ｂの形状はこれに限られない。たとえば、前面部４２ｂがＺ軸方向に延び、鍔部５６ｂの下端が前面部４２ｂから離れるように鍔部５６ｂが傾いていても良い。これにより、上記実施の形態同様、鍔部５６ｂと前面部４２ｂの間に隙間を設けることができ、スイッチ４３の誤操作が抑制され得る。なお、この場合、使用者が便座５５に着座した際に膝を曲げにくくなる。したがって、上記実施の形態のように、前面部４２ｂが傾斜するように構成された方が望ましい。
【００９４】
また、上記実施の形態では、カバー５６の裏面の隅には、２つの円形の突起５６ｃが設けられたが、突起５６ｃの形状、位置、数は、これに限られない。たとえば、突起５６ｃは、方形の形状を有していても良いし、３つ以上形成されていても良い。突起５６ｃの形状、位置、数は、適宜変更され得る。あるいは、カバー５６の裏面に凹部を設け、この凹部に係合する突起を座面枠５１の水平部５１ａの上面に設けても良い。
【００９５】
また、上記実施の形態では、水平部５１ａと背面部５１ｂが座面枠５１に一体的に設けられたが、これらが別体であっても良く、たとえば、背面部５１ｂを構成する部材が、支持体４０に取り付けられても良く、支持体４０に一体的に設けられても良い。
【００９６】
また、上記実施の形態では、便座５５が座面枠５１の水平部５１ａに装着されることにより座面部が構成されたが、座面部の構成形態はこれに限られない。たとえば、予め、座面枠５１に便座５５が一体的に設けられていても良い。
【００９７】
また、上記実施の形態では、背面部５１ｂに背もたれ５２が着脱可能に装着されたが、背もたれ５２が省略されても良い。この場合、少なくとも背面部５１ｂの前面は、クッション性に富んだ材料で覆うことが望ましい。
【００９８】
この他、本発明の実施の形態は、特許請求の範囲に示された技術的思想の範囲内において、適宜、種々の変更が可能である。
【符号の説明】
【００９９】
１  …  便座装置（フィルム密封式便座装置）
３０  …  フィルムユニット
４０  …  支持体
４２ｂ  …  前面部（側面、前面）
４３  …  スイッチ
５１  …  座面枠
５１ａ  …  水平部（便座部）
５１ｅ  …  凹部（係合部）
５５  …  便座（便座部）
５５ｃ  …  開口
５６  …  カバー
５６ｂ  …  鍔部
５６ｃ  …  突起（係合部）
Ｆ  …  フィルム
【図１】
2015195882.tif 000003
【図２】
2015195882.tif 000004
【図３】
2015195882.tif 000005
【図４】
2015195882.tif 000006
【図５】
2015195882.tif 000007
【図６】
2015195882.tif 000008
【図７】
2015195882.tif 000009
【図８】
2015195882.tif 000010
【図９】
2015195882.tif 000011
【図１０】
2015195882.tif 000012
【図１１】
2015195882.tif 000013
【図１２】
2015195882.tif 000014
【図１３】
2015195882.tif 000015